(57)【要約】      （修正有）【課題】携帯機器のメールアドレスを使用し、安全性が極めて高い親展印刷を可能とする印刷システムを提供する。【解決手段】印刷装置は、ホスト機器から送信された描画データに対応するジョブＩＤを作成するジョブＩＤ作成手段と、このジョブＩＤと、メールアドレス、及び描画データを記憶する第２の記憶手段と、ジョブＩＤと描画データに基づいてコードパターンを生成する生成手段と、このコードパターンとメッセージを前記メールアドレスを使用して携帯機器に送信する第２の送信手段と、メッセージに基づいて、コードパターンを表示した前記携帯機器からコードパターンの情報を読み取る情報読取手段と、該情報読取手段によって読み取ったジョブＩＤが第２の記憶手段に記憶されたジョブＩＤと一致するとき、ジョブＩＤの情報に従って、対応する描画データを読み出し、描画データの印刷処理を行う印刷制御手段とを有する構成である。【選択図】図１
2009009507.tif 000002
【特許請求の範囲】
【請求項１】
ホスト機器と印刷装置がネットワークを介して接続された印刷システムにおいて、
前記ホスト機器は、
携帯機器のメールアドレスを記憶する第１の記憶手段と、
該第１の記憶手段から前記メールアドレスを読み出し、該メールアドレスを描画データと共に前記印刷装置に送信する第１の送信手段とを有し、
前記印刷装置は、
前記ホスト機器から送信された前記描画データに対応するジョブＩＤを作成するジョブＩＤ作成手段と、
該ジョブＩＤと、前記メールアドレス、及び描画データを記憶する第２の記憶手段と、
前記ジョブＩＤと描画データに基づいてコードパターンを生成する生成手段と、
該コードパターンとメッセージを前記メールアドレスを使用して前記携帯機器に送信する第２の送信手段と、
前記メッセージに基づいて、前記コードパターンを表示した前記携帯機器から該コードパターンの情報を読み取る情報読取手段と、
該情報読取手段によって読み取ったジョブＩＤが前記第２の記憶手段に記憶されたジョブＩＤと一致するとき、前記ジョブＩＤの情報に従って、対応する描画データを読み出し、該描画データの印刷処理を行う印刷制御手段と、
を有することを特徴とする印刷システム。
【請求項２】
前記第１の記憶手段には暗証番号の情報も記憶され、該暗証番号の情報は前記第１の送信手段によって前記印刷装置に送信され、前記第２の記憶手段に記憶され、前記印刷装置の操作によって入力した暗証番号との一致が判断された後、前記印刷制御手段による印刷処理が実行されることを特徴とする請求項１記載の印刷システム。
【請求項３】
前記ホスト機器はＩＣカードのＩＤ情報を読み取る読取手段を含み、該読取手段によって読み取ったＩＣカードのＩＤ情報を前記第１の送信手段によって前記印刷装置に送信して前記第２の記憶手段に記憶し、前記第２の送信手段によって送信された送信データに含まれるＩＣカードのＩＤ情報との一致が判断された後、前記印刷制御手段による印刷処理が実行されることを特徴とする請求項１記載の印刷システム。
【請求項４】
ホスト機器と印刷装置と管理サーバがネットワークを介して接続された印刷システムにおいて、
前記ホスト機器は、
携帯機器のメールアドレスを記憶する第１の記憶手段と、
ＩＣカードのＩＤ情報を読み取る読取手段と、
前記第１の記憶手段から前記メールアドレスを読み出し、前記読取手段によって読み取ったＩＣカードのＩＤ情報、及び描画データと共に前記管理サーバに送信する第１の送信手段とを有し、
前記管理サーバは、
前記ホスト機器から送信された描画データに対応するジョブＩＤを作成するジョブＩＤ作成手段と、
該ジョブＩＤと、前記メールアドレス、及び描画データを記憶する第２の記憶手段と、
前記ジョブＩＤと描画データに基づいてコードパターンを生成する生成手段と、
該コードパターンとメッセージと管理サーバのＩＤ情報を前記メールアドレスを使用して前記携帯機器に送信する第２の送信手段とを有し、
前記印刷装置は、
前記メッセージに基づいて、前記コードパターンを表示した前記携帯機器から該コードパターンの情報を読み取る情報読取手段と、
該情報読取手段によって読み取った管理サーバのＩＤに基づいて該管理サーバにジョブＩＤの情報を送信する第３の送信手段と、
該第３の送信手段からの送信情報に基づいて、前記管理サーバから送信された描画データに従って、該描画データの印刷処理を行う印刷制御手段と、
を有することを特徴とする印刷システム。
【請求項５】
前記印刷装置は課金情報を有し、前記印刷制御手段による印刷処理は、前記課金情報に従った印刷料金が前記携帯機器のＩＣカードに残っている場合に実行することを特徴とする請求項４記載の印刷システム。
【発明の詳細な説明】
【技術分野】
【０００１】
本発明はネットワークを介して接続されたホスト機器と印刷装置、更には管理サーバとを含む印刷システムであり、特に携帯電話機等の携帯機器を使用して親展印刷を行う印刷システムに関する。
【背景技術】
【０００２】
今日、コンピュータネットワークが広く使用され、例えばＬＡＮ（ローカルエリアネットワーク）等のネットワークに印刷装置を接続し、パーソナルコンピュータ（ＰＣ）等のホスト機器から印刷データを供給して印刷処理を行う印刷システムが使用されている。このようなシステムにおいては、ホスト機器と印刷装置が離れた場所に設置される場合が多く、秘匿性にある文書を印刷する場合、印刷物を他人に読まれる心配がある。
【０００３】
そこで、従来印刷データを作成する際、ユーザの暗証番号を使用して印刷データを作成し、印刷装置によって印刷処理を行う際、暗証番号を確認した後、印刷出力を行う装置が提案されている。また、ＩＣカードを使用して、印刷データ作成時にカードＩＤを埋め込み、印刷出力を行う際、当該カードを翳してカードＩＤを確認する親展印刷も行われている。
【０００４】
一方、今日携帯電話機等の携帯機器が広く普及し、利用者が面倒な操作を行うことなく、ブログやインターネットホームページにアクセルできる携帯機器が提案されている。例えば、特許文献１には、ホームページにアクセスするための情報を含んだコード化されたパターン（二次元コード）を印刷したカードをカメラ付き携帯電話機で撮影させ、二次元コードと電話番号やメールアドレス等を組み合わせて、ホームページにアクセスする発明が開示されている。
【０００５】
【特許文献１】特開２００７−１０９０４８号公報
【発明の開示】
【発明が解決しようとする課題】
【０００６】
しかしながら、従来の親展印刷においては、例えば暗証番号が知られた場合、簡単に第三者によって親展書類の印刷出力が行われてしまう。また、ＩＣカードを使用する親展印刷においては、例えばＩＣカードが偽造された場合、容易に親展印刷が行われてしまう。
【０００７】
そこで、本発明は上記問題に鑑みてなされたものであり、暗証番号と共に携帯電話機等の携帯機器のメールアドレスを使用し、安全性が極めて高い親展印刷を可能とする印刷システムを提供するものである。
【課題を解決するための手段】
【０００８】
上記課題は第１の発明によれば、ホスト機器と印刷装置がネットワークを介して接続された印刷システムにおいて、前記ホスト機器は、携帯機器のメールアドレスを記憶する第１の記憶手段と、該第１の記憶手段から前記メールアドレスを読み出し、描画データと共に前記印刷装置に送信する第１の送信手段とを有し、前記印刷装置は、前記ホスト機器から送信された描画データに対応するジョブＩＤを作成するジョブＩＤ作成手段と、該ジョブＩＤと、前記メールアドレス、及び描画データを記憶する第２の記憶手段と、前記ジョブＩＤと描画データに基づいてコードパターンを生成する生成手段と、該コードパターンとメッセージを前記メールアドレスを使用して前記携帯機器に送信する第２の送信手段と、前記メッセージに基づいて、前記コードパターンを表示した前記携帯機器から該コードパターンの情報を読み取る情報読取手段と、該情報読取手段によって読み取ったジョブＩＤが前記第２の記憶手段に記憶されたジョブＩＤと一致するとき、前記ジョブＩＤの情報に従って、対応する描画データを読み出し、該描画データの印刷処理を行う印刷制御手段とを有する印刷システムを提供することによって達成できる。
【０００９】
また、第２の発明によれば、前記第１の記憶手段には暗証番号の情報も記憶され、該暗証番号の情報は前記第１の送信手段によって前記印刷装置に送信され、前記第２の記憶手段に記憶され、前記印刷装置の操作によって入力した暗証番号との一致が判断された後、前記印刷制御手段による印刷処理が実行される印刷システムを提供することによって達成できる。
【００１０】
また、第３の発明によれば、前記ホスト機器はＩＣカードのＩＤ情報を読み取る読取手段を含み、該読取手段によって読み取ったＩＣカードのＩＤ情報を前記第１の送信手段によって前記印刷装置に送信し、前記第２の記憶手段に記憶し、前記第２の送信手段によって送信される送信データに含まれるＩＣカードのＩＤ情報との一致が判断された後、前記印刷制御手段による印刷処理が実行される印刷システムを提供することによって達成できる。
【００１１】
また、第４の発明によれば、ホスト機器と印刷装置と管理サーバがネットワークを介して接続された印刷システムにおいて、前記ホスト機器は、携帯機器のメールアドレスを記憶する第１の記憶手段と、ＩＣカードのＩＤ情報を読み取る読取手段と、前記第１の記憶手段から前記メールアドレスを読み出し、前記読取手段によって読み取ったＩＣカードのＩＤ情報、及び描画データと共に前記管理サーバに送信する第１の送信手段とを有し、前記管理サーバは、前記ホスト機器から送信された描画データに対応するジョブＩＤを作成するジョブＩＤ作成手段と、該ジョブＩＤと、前記メールアドレス、及び描画データを記憶する第２の記憶手段と、前記ジョブＩＤと描画データに基づいてコードパターンを生成する生成手段と、該コードパターンとメッセージと管理サーバのＩＤを前記メールアドレスを使用して前記携帯機器に送信する第２の送信手段とを有し、前記印刷装置は、前記メッセージに基づいて、前記コードパターンを表示した前記携帯機器から該コードパターンの情報を読み取る情報読取手段と、該情報読取手段によって読み取った管理サーバのＩＤに基づいて該管理サーバにジョブＩＤの情報を送信する第３の送信手段と、該第３の送信手段からの送信情報に基づいて、前記管理サーバから送信された描画データに従って、該描画データの印刷処理を行う印刷制御手段とを有するシステムを提供することによって達成できる。
【００１２】
また、第５の発明によれば、前記印刷装置は課金情報を有し、前記印刷制御手段による印刷処理は、前記課金情報に従った印刷料金が前記携帯機器のＩＣカードに残っている場合に実行される印刷システムを提供することによって達成できる。
【発明の効果】
【００１３】
本発明によれば、印刷実行者が指定したメールアドレスに基づいてコードパターンが携帯機器に通知され、このコードパターンが印刷装置に通知されない限り、印刷装置による印刷処理は開始されないので、確実にセキュリィティーが確保された親展印刷を行うことができる。
【００１４】
さらに、暗証番号やＩＣカードのＩＤ情報を認証要件に加えることによって、より確実にセキュリィティーが確保された親展印刷を行うことができる。
【発明を実施するための最良の形態】
【００１５】
以下、本発明の実施の形態を図面に基づいて説明する。
（実施形態１）
【００１６】
図１は、本発明の実施形態１を説明する印刷システムのシステム構成図である。
同図において、本システムはパーソナルコンピュータ（ＰＣ）等のホスト機器１とプリンタ装置２で構成され、ホスト機器１とプリンタ装置２は、例えばＬＡＮ（ローカル・エリア・ネットワーク）によって接続されている。
【００１７】
ホスト機器１はアプリケーション３、プリンタドライバ４、ジョブ転送制御部５、設定情報記憶部７、及びハードディスク（ＨＤ）８で構成されている。アプリケーション３は、ワープロソフトウエアや表計算ソフトウエアで構成され、アプリケーション３を使用して作成された印刷データは描画情報６としてプリンタドライバ４に送られる。
【００１８】
プリンタドライバ４は、設定情報記憶部７に登録された設定情報を読み込み、上記描画情報と共に、スプールファイルとしてハードディスク８に格納する。図２は上記設定情報の一例を説明する図である。設定情報記憶部７には実行者のメールアドレス（例えば、「ｘｘｘ＠ｙｙｙ.ｎｅ.ｊｐ」）と、使用するプリンタ装置のＩＰアドレス等が登録されている。尚、上記情報の登録は、利用者がホスト機器１のキーボード等を操作することによって、予め設定情報記憶部７に登録されている。また、設定情報記憶部７への登録事項は上記メールアドレス、及びプリンタ装置２のＩＰアドレスに限らない。    
【００１９】
ジョブ転送制御部５はハードディスク８に格納したスプールファイルを読み出し、ネットワークを介してプリンタ装置２に転送する。
【００２０】
一方、プリンタ装置２はコントローラ１０、ジョブ受信制御部１１、ハードディスク（ＨＤ）１２、描画処理部１３、印刷部１４、メール送受信制御部１５、コードパターンリーダ制御部１６で構成され、ホスト機器１から送信された印刷データはジョブ受信制御部１１の制御に従って、コントローラ１０に送られる。
【００２１】
コントローラ１０は、入力する印刷データに対してユニークなジョブＩＤ（例えば同図に示す「ＪＯＢＩＤ＝ｎｎｎｎｎ」）を生成し、このジョブＩＤをファイル名として印刷データをハードディスク１２に転送し、ハードディスク１２に格納する。
【００２２】
図３はハードディスク１２の構成を説明する図であり、ヘッダ部１２ａとデータ部１２ｂで構成されている。ヘッダ部１２ａは格納されたスプールファイルの文書名（上記ユニークなジョブＩＤ）や、実行者名、実行日時、文書ページ数、及びメールアドレス等の情報を格納し、データ部１２ｂはスプールファイルに含まれる描画情報を格納する。
【００２３】
一方、コントローラ１０はハードディスク１２に格納されたスプールファイルの中のメールアドレスを読み出し、メール本文メッセージとその添付ファイルとしてコードパターンをビットマップイメージで生成する。そして、このメール本文メッセージとコードパターンの情報は、読み出したメールアドレスの携帯電話機に送信される。尚、このコードパターンにはプリンタ装置２のシステム認識ＩＤも含まれ、図４はコードパターンの一例を示し、図５はメール本文メッセージの一例を示す。
【００２４】
携帯電話機２０は印刷実行者の携帯機器であり、上記メールアドレスを有する。したがって、上記メール本文メッセージ及びコードパターンの情報は携帯電話機２０に送信され、携帯電話機２０のディスプレイ２１には前述の図４に示すコードパターンと、図５に示すメール本文メッセージが表示される。
【００２５】
印刷実行者は、携帯電話機２０のディスプレイ２１をプリンタ装置２に設けられたコードパターンリーダ２２に近づけ、コードパターンを読み込ませる。コントローラ１０はメール送受信制御部１５を介して入力するコードパターンを解析し、ハードディスク１２を検索してユニークなジョブＩＤを探し、描画処理部１３によって描画処理を行った後、印刷部１４によって印刷処理を行う。
【００２６】
図６は、上記プリンタ装置２の処理を説明するフローチャートである。コントローラ１０は、先ずコードパターンの入力を確認するため、コードパターンリーダ制御部１６に対してポーリングを行う（ステップ（以下、Ｓで示す）１）。ここで、コードパターンが読み込めない場合（Ｓ２がＮＯ）、更に所定のタイミングでポーリングを繰り返す。
【００２７】
一方、上記ポーリングによってコードパターンの読み込みが行われると（Ｓ２がＹＥＳ）、読み込んだコードパターンにシステム認識ＩＤ（以下、システムＩＤで示す）が含まれているか判断する（Ｓ３）。ここで、システムＩＤが含まれていない場合（Ｓ３がＮＯ）、プリンタ装置２の表示部（オペレーションパネル）に、例えば「印刷できません」の表示を行う（Ｓ４）。一方、システムＩＤが含まれている場合（Ｓ３がＹＥＳ）、当該システムＩＤが本例のプリンタ装置２が発行したシステムＩＤと一致するか判断する（Ｓ５）。
【００２８】
例えば、携帯電話機２０から送信されたコードパターンが他のプリンタ装置におけるシステムＩＤである場合（Ｓ５がＮＯ）、システムＩＤが一致しないので「本システムでは印刷できません」の表示を行う（Ｓ６）。一方、システムＩＤが一致する場合には、次にコードパターンに含まれるジョブＩＤがハードディスク１２に登録されているか判断する（Ｓ７）。
【００２９】
ここで、ジョブＩＤがハードディスク１３内に含まれていなければ（Ｓ７がＮＯ）、表示部に、「指定のジョブは存在しません」の表示を行う（Ｓ８）。一方、ジョブＩＤがハードディスク１３内に含まれていれば（Ｓ７がＹＥＳ）、表示部に、「○○文書の印刷を開始します」の表示を行ない（Ｓ９）、ハードディスク１２から当該ジョブＩＤのスプールファイルを読み出し、印刷部１４によって印刷処理を行う（Ｓ１０）。
【００３０】
以上のように処理することによって、印刷実行者が指定したメールアドレスにのみ唯一の印刷キー情報であるコードパターンが通知され、このコードパターンがプリンタ装置２に通知されない限り、プリンタ装置２による印刷処理は開始されない。したがって、確実にセキュリィティーが確保された親展印刷を行うことができる。
（実施形態２）
【００３１】
次に、本発明の実施形態２について説明する。
【００３２】
図７は、本発明の実施形態２を説明する印刷システムのシステム構成図である。尚、同図において、前述の図１と同じ回路には同じ番号を付して構成上の説明を省略する。    
【００３３】
同図において、本システムもホスト機器１とプリンタ装置２を、例えばＬＡＮ（ローカル・エリア・ネットワーク）によって接続した印刷システムであり、ホスト機器１はアプリケーション３、プリンタドライバ４、ジョブ転送制御部５、設定情報記憶部７、及びハードディスク（ＨＤ）８で構成されている。
【００３４】
本例においては、設定情報記憶部７の構成が前述の実施形態１と異なり、図８に示す構成である。すなわち、前述の図２に示すコードパターンのデータに対して、少なくとも暗証番号の情報が加わり、実行者のメールアドレス（例えば、「ｘｘｘ＠ｙｙｙ.ｎｅ.ｊｐ」）と、使用するプリンタ装置のＩＰアドレス、及び暗証番号（例えば、「９××９」）等の情報が登録されている。
【００３５】
したがって、プリンタドライバ４が設定情報記憶部７から情報を読み出し、上記描画情報と共に、スプールファイルとしてハードディスク８に格納した場合、図９に示すコードパターンの情報がハードディスク１２のヘッダ部１２ａに登録される。
【００３６】
また、本例のプリンタ装置２は、図７に示すように、前述のコントローラ１０、ジョブ受信制御部１１、ハードディスク（ＨＤ）１２、描画処理部１３、印刷部１４、メール送受信制御部１５、コードパターンリーダ制御部１６に加えて、パネルキー入力部２４、及びパネルキー入力制御部２５が設けられ、パネルキー入力部２４から暗証番号の入力が可能な構成である。
【００３７】
本例においても、コントローラ１０はハードディスク１２に格納されたスプールファイルの中のメールアドレスを読み出し、メール本文メッセージとその添付ファイルとしてコードパターンをビットマップイメージで生成する。図１０は本例のコードパターンに含まれるデータの例である。必須要件であるシステムＩＤ、ジョブＩＤ、及び任意である文書名、実行者名等の情報が含まれる。コントローラ１０は、上記メール本文メッセージとコードパターンの情報をメール送受信制御部１５によって携帯電話機２０に送信する。
【００３８】
携帯電話機２０は上記メールアドレスを有し、メール本文メッセージ及びコードパターンの情報は携帯電話機２０に送信され、携帯電話機２０のディスプレイ２１に、例えば図１１に示すメール本文メッセージが表示され、更にコードパターンが表示される。
【００３９】
印刷実行者は前述と同様、携帯電話機２０のディスプレイ２１をプリンタ装置２に設けられたコードパターンリーダ２２に近づけ、コードパターンを読み込ませる。コントローラ１０はメール送受信制御部１５を介して入力するコードパターンを解析し、ハードディスク１２を検索してユニークなジョブＩＤを探し、印刷部１４によって印刷処理を行う。
【００４０】
図１２は、本例におけるプリンタ装置２側の処理を説明するフローチャートである。先ず、コントローラ１０は前述と同様、コードパターンの入力を確認するため、コードパターンリーダ制御部１６に対してポーリングを行う（ステップ（以下、ＳＴで示す）１）。ここで、コードパターンの読み込みができない場合（ＳＴ２がＮＯ）、更に所定のタイミングでポーリングを繰り返し、コードパターンの読み込みが行われると（ＳＴ２がＹＥＳ）、読み込んだコードパターンにシステムＩＤが含まれているか判断する（ＳＴ３）。
【００４１】
ここで、システムＩＤが含まれない場合（ＳＴ３がＮＯ）、前述と同様、プリンタ装置２の表示部（オペレーションパネル）に、例えば「印刷できません」の表示を行い（ＳＴ４）、システムＩＤが含まれている場合でも（ＳＴ３がＹＥＳ）、当該システムＩＤが本例のプリンタ装置２が発行したシステムＩＤと一致しない場合（ＳＴ５がＮＯ）、「本システムでは印刷できません」との表示を行う（ＳＴ６）。一方、システムＩＤが存在すると共に、システムＩＤが一致する場合、次にコードパターンに含まれるジョブＩＤがハードディスク１２に登録されているか判断する（ＳＴ５がＹＥＳ、ＳＴ７）。
【００４２】
次に、ジョブＩＤがハードディスク１３内に含まれているか判断し（ＳＴ７）、ジョブＩＤがハードディスク１２に含まれていなければ「指定のジョブは存在しません」の表示を行う（ＳＴ８）。一方、ジョブＩＤがハードディスク１３内に含まれていれば（ＳＴ７がＹＥＳ）、ジョブＩＤが付されたスプールファイルから暗証番号を取り出す（ＳＴ９）。
【００４３】
次に、パネルキー入力部２４を操作し、暗証番号を入力する（ＳＴ１０）。この暗証番号の情報はパネルキー入力制御部２５を介してコントローラ１０に入力し、コントローラ１０によってスプールファイルから取り出した暗証番号とパネルキー入力部２４から入力した暗証番号（入力文字列）の情報が一致するか判断される（ＳＴ１１）。
【００４４】
ここで、両情報が一致しない場合（Ｓ１１がＮＯ）、表示部（オペレーションパネル）に、「暗証番号が一致しません」の表示を行う（ＳＴ１２）。一方、両情報が一致する場合（Ｓ１１がＹＥＳ）、表示部に「○○文書の印刷を開始します」の表示を行う（ＳＴ１３）。そして、ハードディスク１２から当該ジョブＩＤのスプールファイルを読み出し、印刷部１４によって印刷処理を行う（ＳＴ１４）。
【００４５】
以上のように本例によれば、印刷実行者が指定したメールアドレスのみならず、暗証番号の確認によってもセキュリィティーが確保され、前述の実施形態１より更にセキュリィティーが確保された親展印刷を行うことができる。
（実施形態３）
【００４６】
次に、本発明の実施形態３について説明する。
図１３は、本発明の実施形態３を説明する印刷システムのシステム構成図である。尚、同図において、前述の図１又は図７と同じ回路構成には同じ番号を付して構成上の説明を省略する。
【００４７】
同図において、本システムもホスト機器１とプリンタ装置２を、例えばＬＡＮによって接続した印刷システムであり、ホスト機器１はアプリケーション３、プリンタドライバ４、ジョブ転送制御部５、設定情報記憶部７、ハードディスク（ＨＤ）８、及び新たなＩＣカードリーダ２６、ＩＣカードリーダ制御部２７で構成されている。
【００４８】
本例においては、上記ＩＣカードリーダ２６に携帯電話機２０をセットし、文書の印刷指示を行う。尚、本例における設定情報記憶部７の設定は前述の図２に示すものである。
プリンタドライバ４は設定情報記憶部７から情報を読み出し、更にＩＣカードリーダ制御部２７を介して携帯電話機２０から読み出したＩＣカードのＩＤ情報を上記描画情報と共にプリンタ装置２に送信する。したがって、本例の場合、スプールファイルをプリンタ装置２のハードディスク８に格納した場合、図１４に示すヘッダ部１２ａに前述の文書名、実行者名等と共に、ＩＣカードのＩＤ情報が登録される。
【００４９】
また、本例のプリンタ装置２は、前述のコントローラ１０、ジョブ受信制御部１１、ハードディスク（ＨＤ）１２、描画処理部１３、印刷部１４、メール送受信制御部１５、コードパターンリーダ制御部１６に加えて、図１３に示すように、携帯電話機２０のコードパターン＆ＩＣカードリーダ部２８、及びＩＣカードリーダ制御部２９が設けられている。
【００５０】
コードパターン＆ＩＣカードリーダ部２８は、携帯電話機２０のディスプレイ２１に表示されたコードパターン、及びＩＣカードのＩＤ情報を読み取り、コードパターンはコードパターンリーダ制御部１６を介してコントローラ１０に入力し、ＩＣカードのＩＤ情報はＩＣカードリーダ制御部２９を介してコントローラ１０に入力する。
【００５１】
本例においても、コントローラ１０はハードディスク１２に格納されたスプールファイルの中のメールアドレスを読み出し、メール本文メッセージとその添付ファイルとしてコードパターンをビットマップイメージで生成する。この場合、前述の図１０に示すコードパターンが生成され、コントローラ１０は、上記メール本文メッセージとコードパターンの情報をメール送受信制御部１５によって携帯電話機２０に送信する。
【００５２】
携帯電話機２０は上記メールアドレスを有し、メール本文メッセージ及びコードパターンの情報は携帯電話機２０に送信され、携帯電話機２０のディスプレイ２１に、例えば図１３に示すメール本文メッセージが表示され、更にコードパターンが表示される。
【００５３】
印刷実行者は、携帯電話機２０のディスプレイ２１をプリンタ装置２に設けられたコードパターン＆ＩＣカードリーダ部２８に近づけ、コードパターンを読み込ませる。また、コードパターン＆ＩＣカードリーダ部２８によって携帯電話機２０に装着されたＩＣカードのＩＤ情報が読み取られ、ＩＣカードリーダ制御部２９を介してコントローラ１０に送られる。
【００５４】
図１５は、本例におけるプリンタ装置２側の処理を説明するフローチャートである。先ず、コントローラ１０は前述と同様、コードパターンの入力を確認するため、コードパターンリーダ制御部１６に対してポーリングを行う（ステップ（以下、ＳＴＰで示す）１）。ここで、コードパターンが読み込めない場合（ＳＴＰ２がＮＯ）、更に所定のタイミングでポーリングを繰り返し、コードパターンの読み込みが行われると（ＳＴＰ２がＹＥＳ）、読み込んだコードパターンにシステムＩＤが含まれているか判断する（ＳＴＰ４）。
【００５５】
ここで、システムＩＤが含まれない場合（ＳＴＰ３がＮＯ）、前述と同様、プリンタ装置２の表示部（オペレーションパネル）に、例えば「印刷できません」の表示を行い（ＳＴＰ４）、システムＩＤが含まれている場合でも（ＳＴＰ３がＹＥＳ）、当該システムＩＤが本例のプリンタ装置２が発行したシステムＩＤと一致しない場合（ＳＴＰ５がＮＯ）、「本システムでは印刷できません」との表示を行う（ＳＴＰ６）。一方、システムＩＤが存在すると共に、システムＩＤが一致する場合、次にコードパターンに含まれるジョブＩＤがハードディスク１２に登録されているか判断する（ＳＴＰ５がＹＥＳ、ＳＴＰ７）。
【００５６】
次に、ジョブＩＤがハードディスク１３内に含まれているか判断し（ＳＴＰ７）、ジョブＩＤがハードディスク１２に含まれていなければ「指定のジョブは存在しません」の表示を行う（ＳＴＰ８）。一方、ジョブＩＤがハードディスク１３内に含まれていれば（ＳＴＰ７がＹＥＳ）、ジョブＩＤが付されたスプールファイルからＩＣカードのＩＤ情報を取り出す（ＳＴＰ９）。
【００５７】
次に、コードパターン＆ＩＣカードリーダ部２８によって読み取ったＩＣカードのＩＤ情報とスプールファイルのＩＤ情報との一致判断を行う（ＳＴＰ１０）。ここで、両情報が一致しない場合（ＳＴＰ１０がＮＯ）、表示部（オペレーションパネル）に、「ＩＤ情報が一致しません」の表示を行う（ＳＴＰ１１）。一方、両情報が一致する場合（ＳＴＰ１０がＹＥＳ）、表示部に、「○○文書の印刷を開始します」の表示を行う（ＳＴＰ１２）。そして、ハードディスク１２から当該ジョブＩＤのスプールファイルを読み出し、印刷部１４によって印刷処理を実行する（ＳＴＰ１３）。
【００５８】
以上のように本例によれば、印刷実行者が指定したメールアドレスのみならず、ＩＣカードのＩＤ情報によってもセキュリィティーが確保され、前述の実施形態１より更にセキュリィティーが確保された親展印刷を行うことができる。
（実施形態４）
【００５９】
次に、本発明の実施形態４について説明する。
【００６０】
図１６は、本発明の実施形態４を説明する印刷システムのシステム構成図である。尚、同図において、前述の図１、図７、及び図１３と同じ回路には同じ番号を付して構成上の説明を省略する。    
【００６１】
同図において、本システムもホスト機器１とプリンタ装置２を、例えばＬＡＮ（ローカル・エリア・ネットワーク）によって接続した印刷システムであり、更に本例はドキュメント管理サーバ３０がＬＡＮを介してホスト機器１とプリンタ装置２に接続されている。
このドキュメント管理サーバ３０は、ジョブ受信制御部３１、スプールファイルを格納するハードディスク（ＨＤ）３２、ジョブ送信制御部３３、メール送信制御部３４、及び上記各部の制御を行うコントローラ３５で構成されている。
【００６２】
尚、ホスト機器１はアプリケーション３、プリンタドライバ４、ジョブ転送制御部５、設定情報記憶部７、ハードディスク（ＨＤ）８、及び前述のＩＣカードリーダ２６、ＩＣカードリーダ制御部２７で構成されている。したがって、本例においても、上記ＩＣカードリーダ２６に携帯電話機２０をセットし、文書の印刷指示を行う。この時、ＩＣカードのＩＤ情報がＩＣカードリーダ２６によって読み取られる。
【００６３】
また、図１７は設定情報記憶部７に予め登録された情報であり、携帯電話機２０のメールアドレスと共に、ドキュメント管理サーバ（転送先サーバ）３０のＩＰアドレスが登録されている。
【００６４】
プリンタドライバ４は設定情報記憶部７から情報を読み出し、更にＩＣカードリーダ制御部２７を介して携帯電話機２０から読み出したＩＣカードのＩＤ情報を描画情報と共にハードディスク８に記憶する。したがって、本例の場合、ハードディスク８に格納されるスプールファイルの構成は、メールアドレス、ドキュメント管理サーバ３０のＩＰアドレス、ＩＣカードのＩＤ情報、及び描画データ等である。
【００６５】
ジョブ転送制御部５は、前述のＩＰアドレスに従ってハードディスク８に格納されたスプールファイルをドキュメント管理サーバ３０に送信する。ドキュメント管理サーバ３０のジョブ受信制御部３１は、スプールファイルを受信し、コントローラ３５の制御によってハードディスク３２に登録する。また、この時スプールファイルに対応するジョブＩＤを生成し、ハードディスク３２に記憶する。
【００６６】
このようにしてハードディスク３２にスプールファイルを登録した後、コントローラ３５はスプールファイルからメールアドレスの情報を読み出し、コードパターンを生成する。図１８はこの時作成されるコードパターンに含まれる情報であり、必須要件としてシステム識別ＩＤ、ジョブＩＤ、ＩＰアドレスの情報が含まれ、任意に文書名、実行者名等の情報が含まれる。
【００６７】
コントローラ３５はメール送信制御部３４を制御し、上記コードパターンと共にメール本文メッセージを携帯電話機２０に送信する。尚、メール本文メッセージとしては、例えば図１９に示すメッセージが送信される。
【００６８】
上記ドキュメント管理サーバ３０からのメッセージ、及びコードパターンの送信に基づいて、携帯電話機２０のディスプレイ２１には、例えば図１６に示すメール本文メッセージが表示され、更にコードパターンが表示される。
【００６９】
印刷実行者は、携帯電話機２０のディスプレイ２１をプリンタ装置２に設けられたコードパターン＆ＩＣカードリーダ部２８に近づけ、コードパターンを読み込ませる。また、コードパターン＆ＩＣカードリーダ部２８によって携帯電話機２０に装着されたＩＣカードのＩＤ情報を読み取らせ、ＩＣカードリーダ制御部２９を介してコントローラ１０に送る。
図２０は、本例におけるプリンタ装置２側の処理を説明するフローチャートである。先ず、コントローラ１０は前述と同様、コードパターンの入力を確認するため、コードパターンリーダ制御部１６に対してポーリングを行う（ステップ（以下、Ｗで示す）１）。ここで、コードパターンが読み込めない場合（Ｗ２がＮＯ）、更に所定のタイミングでポーリングを繰り返し、コードパターンの読み込みが行われると（Ｗ２がＹＥＳ）、読み込んだコードパターンにシステムＩＤ、ジョブＩＤ、及びドキュメント管理サーバ３０のＩＤ情報が含まれているか判断する（Ｗ３）。
【００７０】
ここで、上記情報が含まれない場合（Ｗ３がＮＯ）、プリンタ装置２の表示部（オペレーションパネル）に、例えば「印刷できません」の表示を行う（Ｗ４）。一方、上記情報が含まれている場合（Ｗ３がＹＥＳ）、ドキュメント管理サーバ３０に対してジョブ転送要求を行う（Ｗ５）。この転送要求は、コードパターンに含まれるＩＰアドレスを使用して行い、ドキュメント管理サーバ３０では通知されたシステム識別ＩＤが自己のシステム識別ＩＤと一致し、指定されたジョブＩＤが存在する場合、プリンタ装置２に対して印刷ジョブを送信する。
【００７１】
この場合、ジョブＩＤ、描画データ等がドキュメント管理サーバ３０からプリンタ装置２に送信される。尚、何らかの理由によって、ドキュメント管理サーバ３０からのジョブが受信されない場合、ジョブの受信ができない旨の表示を行う（Ｗ６がＮＯ、Ｗ７）。
【００７２】
一方、ジョブの受信が成功した場合（Ｗ６がＹＥＳ）、ジョブＩＤのスプールファイルからＩＣカードのＩＤ情報を読み出し、ドキュメント管理サーバ３０から入力したジョブに含まれるＩＤ情報との一致を判断する（Ｗ９）。ここで、ＩＤ情報が一致しなければＩＤ情報が一致しない旨の表示を行い（Ｗ１０）、両ＩＤ情報が一致する場合（Ｗ９がＹＥＳ）、表示部に「○○文書の印刷を開始します」の表示を行う（Ｗ１１）。そして、スプールファイルから描画データを読み出し、印刷部１４によって印刷処理を実行する（Ｗ１２）。
【００７３】
以上のように本例によれば、ドキュメント管理サーバ３０を使用し、プリンタ装置２が何れに配設されている場合でも、印刷処理を行うことができ、例えば印刷実行者の位置に最も近いプリンタ装置２を使用して親展印刷を行うことができる。
（実施形態５）
【００７４】
次に、本発明の実施形態５について説明する。
本実施形態５は、前述の実施形態４とほぼ同じ処理を行う構成であり、図１６に示すシステム構成図を使用する。本例において、前述の実施形態４との相違は課金情報に基づいて印刷処理前に携帯電話機２０に装着されたＩＣカードに対してチャージ金額の確認を行う構成である。
【００７５】
図２１は、プリンタ装置２の課金情報の例であり、例えばハードディスク１２にテーブル形式で登録されている。本例では、Ａ４サイズ（カラー）１枚当たり３０円、Ａ４サイズ（モノクロ）１枚当たり１０円、等の情報が登録され、後述するコントローラ１０による利用料の計算を行う際使用される。
【００７６】
図２２は、本例の処理を説明するフローチャートであり、ステップ（Ｗ１〜Ｗ１０）までの処理は、前述のフローチャートと同様である。本例は、ドキュメント管理サーバ３０から入力したジョブに含まれるＩＤ情報との一致が判断された後（Ｗ１〜Ｗ１０）、印刷処理を行う（Ｗ１１、Ｗ１２）前、以下に示すチャージ金額の確認処理を行う。
【００７７】
先ず、スプールファイルの各ページの描画データを調べ、図２１に示す課金情報のテーブルを参照し、当該ジョブの課金金額を算出する（Ｗ１３）。そして、課金金額が足りるか判断する（Ｗ１４）。この判断は、ＩＣカードリーダ制御部２９を制御して、携帯電話機２０に課金金額を通知し、対応する金額がＩＣカード内にチャージされているか判断する。そして、携帯電話機２０から課金金額が足りない旨の通知がある場合（Ｗ１４がＮＯ）、チャージ金額が不足している旨の表示を行う（Ｗ１５）。
【００７８】
一方、携帯電話機２０から課金金額が足りている旨の通知がある場合（Ｗ１４がＹＥＳ）、算出した課金金額をＩＣカードから減算する（Ｗ１６）。以後、前述の実施形態４の処理と同様、表示部に「○○文書の印刷を開始します」の表示を行い（Ｗ１１）、スプールファイルから描画データを読み出し、印刷部１４によって印刷処理を行う（Ｗ１２）。
以上のように本例によれば、課金確認を行った後印刷処理を実行するので、確実にセキュリィティーが確保された親展印刷を行うと共に、確実に課金を行うことができる。
【００７９】
尚、本例において、課金は携帯電話機２０に装着されたＩＣカードを対象としたが、クレジット会社と提携し、ネットワークオンライン引き落とし、又は課金ログファイル等に情報を記録し、後日請求する方法や、プリペイドカード等の他の課金デバイスを利用する構成としてもよい。
【００８０】
また、実施形態１乃至５において、携帯機器として携帯電話機２０の例で説明したが、携帯電話機に限らず、通信機能と撮像機能を有する携帯機器であれば適用可能である。
更に、上記説明におけるコードパターンは、例えばＱＲコード（登録商標）のような２次元コードのほか、情報をコード化されたパターンに含めて表記するものであればどのような方式のものでもよい。
【図面の簡単な説明】
【００８１】
【図１】実施形態１を説明する印刷システムのシステム構成図である。
【図２】設定情報の一例を示す図である。
【図３】ハードディスクの構造を説明する図である。
【図４】コードパターンの一例を示す図である。
【図５】メール本文メッセージの一例を示す図である。
【図６】実施形態１の処理を説明するフローチャートである。
【図７】実施形態２を説明する印刷システムのシステム構成図である。
【図８】設定情報の一例を示す図である。
【図９】ハードディスク１２の構成を示す図である。
【図１０】コードパターンの一例を示す図である。
【図１１】メール本文メッセージの一例を示す図である。
【図１２】実施形態２の処理を説明するフローチャートである。
【図１３】実施形態３を説明する印刷システムのシステム構成図である。
【図１４】ハードディスクの構成を示す図である。
【図１５】実施形態３の処理を説明するフローチャートである。
【図１６】実施形態４を説明する印刷システムのシステム構成図である。
【図１７】ハードディスクの構成を示す図である。
【図１８】コードパターンの情報を説明する図である。
【図１９】メール本文メッセージの一例を示す図である。
【図２０】実施形態４の処理を説明するフローチャートである。
【図２１】課金情報を説明する図である。
【図２２】実施形態５の処理を説明するフローチャートである。
【符号の説明】
【００８２】
１・・・ホスト機器
２・・・印刷装置
３・・・アプリケーション
４・・・プリンタドライバ
５・・・ジョブ転送制御部
６・・・設定情報記憶部
８・・・ハードディスク（ＨＤ）
１０・・コントローラ
１１・・ジョブ受信制御部
１２・・ハードディスク（ＨＤ）
１２ａ・・ヘッダ部
１２ｂ・・データ部
１３・・描画処理部
１４・・印刷部
１５・・メール送受信制御部
１６・・コードパターンリーダ制御部
２０・・携帯電話機
２１・・ディスプレイ
２２・・コードパターンリーダ
２６・・ＩＣカードリーダ
２７・・ＩＣカードリーダ制御部
２８・・コードパターン＆ＩＣカードリーダ部
２９・・ＩＣカードリーダ制御部
３０・・ドキュメント管理サーバ
３１・・ジョブ受信部
３２・・ハードディスク（ＨＤ）
３３・・ジョブ送信制御部
３４・・メール送信制御部
３５・・コントローラ
【図２】
2009009507.tif 000003
【図３】
2009009507.tif 000004
【図５】
2009009507.tif 000005
【図６】
2009009507.tif 000006
【図８】
2009009507.tif 000007
【図９】
2009009507.tif 000008
【図１０】
2009009507.tif 000009
【図１１】
2009009507.tif 000010
【図１２】
2009009507.tif 000011
【図１４】
2009009507.tif 000012
【図１５】
2009009507.tif 000013
【図１７】
2009009507.tif 000014
【図１８】
2009009507.tif 000015
【図１９】
2009009507.tif 000016
【図２０】
2009009507.tif 000017
【図２１】
2009009507.tif 000018
【図２２】
2009009507.tif 000019
【図１】
2009009507.tif 000020
【図４】
2009009507.tif 000021
【図７】
2009009507.tif 000022
【図１３】
2009009507.tif 000023
【図１６】
2009009507.tif 000024